(57)【要約】【課題】広告画面の作成に専門知識を要することなく、広告画面にリンクした精度の高い経路案内を可能にする技術を提供する。【解決手段】一部に操作要素を含む広告画面情報が複数記録された記録媒体１８と、地図情報を記憶する地図情報記憶部２２とを備え、制御部２１は、記録媒体１８に記録された複数の広告画面情報のうち、選択された広告画面情報を読み取って表示部２３に表示すると共に、選択された広告画面情報に含まれる操作要素の操作が検知されると、当該操作要素に関連づけられた目的地情報から地図情報に基づく経路探索のための演算を行い、現在地から目的地までの地図情報を生成して表示部２３に表示する。【選択図】図５
2011232078.tif 000002
【特許請求の範囲】
【請求項１】
一部に操作要素を含む広告画面情報が複数記録された記録媒体と、
地図情報を記憶する地図情報記憶部と、
前記広告画面情報及び前記地図情報を表示するための表示部と、
前記記録媒体に記録された前記複数の広告画面情報のうち選択された広告画面情報を読み取って前記表示部に表示する制御部と、を備え、
前記制御部は、
前記選択された広告画面情報に含まれる前記操作要素が操作されたことを検知したときに、前記操作要素に関連づけられた目的地情報から前記地図情報記憶部に記憶された地図情報に基づく経路探索のための演算を行い、現在地から前記目的地までの地図情報を生成し、この地図情報を前記表示部に表示させるように制御する移動体用経路案内表示装置。
【請求項２】
前記記録媒体に記録される前記広告画面情報は、
ハイパーリンク機能を有する広告画面情報作成装置により、前記操作要素を含む広告画面のファイル容量が予め規定された標準形式に基づき作成されたものであることを特徴とする請求項１記載の移動体用経路案内表示装置。
【発明の詳細な説明】
【技術分野】
【０００１】
本発明は、広告画面情報の一部に関連づけて自動設定される目的地情報に従い経路案内表示を行う、特に、車両に用いて好適な、移動体用経路案内表示装置に関する。
【背景技術】
【０００２】
近年、通信技術の進歩に伴うインターネットや携帯電話の普及により、集客を目的とした広告情報の配信が盛んに行われ、活用されるようになった。又、これを実現するための通信インフラも整備され、これを用いたビジネスモデルやシステムについても多数特許出願されている。
【０００３】
例えば、インターネットで提供される広告画面に含まれる「経路設定（ＧＯ）ボタン」をクリックすることにより、目的地を自動設定してナビゲーションを行う技術が知られている（例えば、特許文献１（図５）参照。）。
特許文献１に開示された技術によれば、広告主は、広告看板を設置することなく広告及び集客が可能であり、又、利用者は、目的地設定を行うこと無く自動で経路案内が行われるため、目的地設定操作のための手間を省くことができる。
【０００４】
また、広告配信についてのノウハウを持たない広告主でも簡単な手続きで広告を配信できるように、通信事業者が、広告主から広告情報を受信し、必要なデータ形式にフォーマット変換してデータ配信業者に送信するビジネスモデル、及びその実現方法も知られている（例えば、特許文献２（図１）参照。）。
【０００５】
しかしながら、特許文献１に開示された技術によれば、ＨＴＭＬ（Hyper Text Markup Language）形式で作成された広告画面の「ＧＯボタン」をクリックすることにより、サーバが保持する地図データに基づき経路案内が行われるのに対し、車両の移動に伴ない時々刻々と変化する利用者の現在地との関係についての情報が無い。
精度の高い経路案内を行なうためには、サーバが有する地図情報と車載機器が有する地図情報との間の連携が必要である。
又、広告主は、広告画面を作成するにあたり、ＨＴＭＬタグに関する専門知識を要する。従って、広告画面は誰でも作成できるものではないといった課題も有する。
【０００６】
又、特許文献２に開示された技術によれば、広告主はＨＴＭＬタグに関する専門知識は不要であるが、通信事業者に広告画面情報の作成業務を委託するため、コストアップとなる。
【先行技術文献】
【特許文献】
【０００７】
【特許文献１】特開２００１−３３３４５５公報
【特許文献２】特開２００４−２８７３００公報
【発明の概要】
【発明が解決しようとする課題】
【０００８】
本発明は、広告画面情報の作成に専門知識を要することなく、広告画面情報にリンクした精度の高い経路案内を可能にする技術を提供することを課題とする。
【課題を解決するための手段】
【０００９】
請求項１に係る発明は、一部に操作要素を含む広告画面情報が複数記録された記録媒体と、地図情報を記憶する地図情報記憶部と、広告画面情報及び地図情報を表示するための表示部と、記録媒体に記録された複数の広告画面情報のうち選択された広告画面情報を読み取って表示部に表示する制御部と、を備え、制御部は、選択された広告画面情報に含まれる操作要素が操作されたことを検知したときに、操作要素に関連づけられた目的地情報から地図情報記憶部に記憶された地図情報に基づく経路探索のための演算を行い、現在地から目的地までの地図情報を生成し、この地図情報を前記表示部に表示させるように制御することを特徴とする。
【００１０】
請求項２に係る発明は、請求項１記載の移動体用経路案内表示装置において、記録媒体に記録される広告画面情報は、ハイパーリンク機能を有する広告画面情報作成装置により、操作要素を含む広告画面のファイル容量が予め規定された標準形式に基づき作成されたものであることを特徴とする。
【発明の効果】
【００１１】
請求項１に係る発明では、制御部は、選択された広告画面情報に含まれる操作要素の操作が検知されると、操作要素に関連づけられた目的地情報から地図情報に基づく経路探索のための演算を行い、現在地から目的地までの地図情報を生成して表示部に表示する。
このように、広告画面情報に含まれる操作要素に関連付けられた目的地情報に基づき、自身で持つ地図情報に従う経路探索を行ない、その経路案内を行なうため、サーバが有する地図情報に基づく経路案内と比較して、現在地から自動設定された目的地まで精度の高い経路案内が可能になる。
【００１２】
請求項２に係る発明では、記録媒体に記録される広告画面情報は、ハイパーリンク機能を有する広告画面情報作成装置により作成される。ハイパーリンク機能を有する広告画面情報作成装置として、例えば、パワーポイント（登録商標）等、広く流通し、標準的に使用されている米国マイクロソフト社提供のＯｆｆｉｃｅ２００７がインストールされたパソコンを用いて広告画面情報を作成することにより、作成言語に関する専門知識が不要になる。
又、操作要素を含む広告画面のファイル容量が予め規定された標準形式に基づき作成することで、ＨＴＭＬタグを使用し、配置やサイズ等、形式にとらわれず自由に作成する場合に比較して、広告画面情報の作成に必要なメモリ容量を抑制することができるといった効果も得られる。
【図面の簡単な説明】
【００１３】
【図１】本発明の実施例に係る移動体用経路案内表示装置に広告画面情報をインストールするまでの処理手順を工程毎に模式的に示した図である。
【図２】広告画面情報作成装置の内部構成を示すブロック図である。
【図３】広告画面情報を作成する処理手順をフローチャートで示した図である。
【図４】広告画面情報作成装置が生成する画面の遷移例を示した図である。
【図５】本発明の実施例に係る移動体用経路案内表示装置の構成を示すブロック図である。
【図６】本発明の実施例に係る移動体用経路案内表示装置の動作を示すフローチャートである。
【図７】本発明の実施例に係る移動体用経路案内表示装置が生成する画面の遷移例である。
【発明を実施するための形態】
【００１４】
本発明の実施の形態を添付図に基づいて以下に説明する。
【実施例】
【００１５】
本発明の実施例を図面に基づいて説明する。
先ず、広告画面情報の作成処理の流れから説明する。
【００１６】
広告画面情報は、例えば、パワーポイント（登録商標）等の「Ｏｆｆｉｃｅ２００７」がアプリケーションソフトウエアとしてインストールされたＷｉｎｄｏｗｓ（登録商標）をＯＳ（Operating System）として搭載する広告画面情報作成装置１０（以下、単に作成装置１０という）により作成される。
作成装置１０で作成された広告画面情報は、例えば、ＳＤ（登録商標）メモリカードを記録媒体として、カーナビゲーション機能を有する車載装置のプラットホームとなるＷｉｎｄｏｗｓ（登録商標） ＡｕｔｏｍｏｔｉｖｅをＯＳとして搭載した移動体用経路案内表示装置２０（以下、単に車載装置２０という）にインストールされる。
【００１７】
図１において、広告主は、第１工程Ｓ１１で、使い慣れたアプリケーションソフトウエア（ここでは、パワーポイント（登録商標））を作成装置１０上で実行することにより、識別子がＰＰＴＸである広告画面情報を作成する。ここでは、広告画面情報の作成をより容易化するため、あるいは後述するようにファイル容量を抑制するために、テキスト、グラフィックス、画像等の文書の各構成メディアのサイズ、及び配置が固定されたテンプレートを使用するものとする。尚、テンプレートの詳細については後述する。
【００１８】
次に、広告主は、第２工程Ｓ１２で、文書変換ツールであるＰＰＴ２ＸＭＬ（eXtensible Markup Language）を使用することで文書ファイルの変換を行なう。ＰＰＴ２ＸＭＬにより、車載装置２０で操作可能な、ＡＵＩ（Automotive User Interface）ＸＭＬテキストデータと、テンプレートに埋め込まれた画像データとが出力される。このため、作成装置１０とはプラットホームが異なる車載装置２０で、作成装置１０により作成されたパワーポイント（登録商標）の広告画面情報を扱うことができるようになる。
【００１９】
次に、広告主は、第３工程Ｓ１３で、文書変換により生成されたＡＵＩＸＭＬと画像を、車両ＧＵＩ（Graphical User Interface）の開発ツールであるＡＵＩＴＫ（Automotive User Interface Tool Kit）を用いたコンパイルを行う。尚、これら一連のコンパイルは、作成装置１０にインストールされたプログラムを実行するだけなので、専門知識が無くても容易に実行できる。
このコンパイルにより、作成装置１０で作成された広告画面情報は、プラットホームの異なる車載装置２０の画面上でレイアウト表示可能なスキンファイル（．ｓｋｎ）に変換される。そして、このスキンファイルを記録媒体であるＳＤ（登録商標）メモリカードに記録する。
【００２０】
最後に、第４工程Ｓ１４で、広告主又はサービス仲介業者（例えば、レンタカー業者）がＳＤ（登録商標）メモリカードに記録されたスキンファイルを車載装置２０にインストールする。
この操作により、車載装置２０に作成装置１０で作成された広告画面情報を表示することができる。そして、ドライバが車載装置２０に表示された広告画面情報に含まれる操作要素（ボタンアイコン）をクリック操作することにより、そのボタンアイコンにハイパーリンクで設定された目的地（広告先）が経路案内プログラムに引き渡される。その結果、ドライバは、目的地の設定操作無しに広告案内先の経路探索を実行でき、現在地から目的地までの精度の高い経路案内が可能になる。
【００２１】
このため、作成装置１０には、広告画面情報を作成するパワーポイント（登録商標）、エクセル（登録商標）、ワード（登録商標）等のＯｆｆｉｃｅ２００７（登録商標）アプリケーションソフトウエアの他に、ＰＰＴ２ＸＭＬ、スキンファイル作成のためのＡＵＩＴＫ、スキンファイルをＳＤ（登録商標）メモリカードに記録するカードドライバソフトウエア等を予めインストールし、或いは組み込んでおく必要がある。
【００２２】
図２は、上述した広告画面情報を作成する作成装置１０の構成を示すブロック図である。
図２に示すように、作成装置１０は、制御部１１と、主記憶部１２と、描画・表示制御部１３と、操作部１４と、表示部１５と、ＨＤＤ（Hard Disc Drive）１６と、メモリカード制御部１７と、により構成される。
これらハードウエアブロック１１〜１７は、アドレス、データ、コントロールのためのラインが複数本で構成される双方向のシステムバス１９に共通接続される。
【００２３】
制御部１１は、例えば、マイクロプロセッサを含み、このマイクロプロセッサは、主記憶部１２に格納されたＯＳの下で、パワーポイント等のアプリケーションソフトウエアを実行してＸＭＬ形式の広告画面情報を生成する機能を有する。
描画・表示制御部１３は、制御部１１により生成される広告画面情報を主記憶部１２の一部領域に割り当てられた表示画面領域（ＶＲＡＭ：Video RAM）にビットマップ又はベクトル形式で描画すると共に、描画された広告画面情報を、表示部１５の表示タイミングに同期して読み出し、表示部１５の画面に表示する機能を有する。
【００２４】
操作部１４には、例えば、電源スイッチ、文字キー、数字キー、各種機能が割り当てられたファンクションキー等がマトリクス状に配置されており、これらスイッチやキーがユーザ（ここでは広告主）によって操作された場合に、その操作内容に応じた信号を生成し、これをユーザ指示として制御部１１に供給する。
表示部１５は、多数の画素（複数色の発光素子の組み合わせ）を縦横に配置して構成される、例えば、ＬＣＤ（Liquid Crystal Display）や有機ＥＬ（Electro-Luminescence）を含む。表示部１５は、描画・表示制御部１３により制御され、制御部１１により生成される広告画面情報を表示する。
【００２５】
ＨＤＤ１６は、不揮発性の大容量記憶デバイスであり、主記憶部１２に常駐しないプログラムや大量の各種データが格納される。
メモリカード制御部１７は、作成装置１０の不図示のカードスロットに実装されるＳＤ（登録商標）メモリカード１８と、システムバス１９とのインタフェースを司る。具体的に、メモリカード制御部１７は、制御部１１からの要求に基づき、接続されるＳＤ（登録商標）メモリカード１８へのデータのリードライトを行う。ここでは、ＳＤ（登録商標）メモリカード１８に、制御部１１により生成される広告画面情報を記録する（書き込む）。
【００２６】
尚、ＳＤ（登録商標）メモリカード１８のファイル管理は、制御部１１が有するＦＡＴ（File Allocation Table）に基づく。周知のように、ＳＤ（登録商標）メモリカード１８は、内部にフラッシュメモリと専用コントローラが内蔵されており、ＣＰＲＭ（Content Protection Recordable Media）と呼ばれるセキュリティ機能を持つ。具体的には、ＳＤ（登録商標）メモリカード１８内部の制御回路と接続機器である作成装置１０との整合性が確認された場合にのみ、保護データ領域への書き込みが可能になる。この機能を使用すれば、ＳＤ（登録商標）メモリカード１８に記録された広告画面情報のセキュリティを維持でき、著作権管理等が可能になる。
【００２７】
次に、図３に示すフローチャートと、図４に示す画面遷移図を参照して、図２に示す作成装置１０による広告画面情報の生成処理について詳細に説明する。
【００２８】
広告主は、作成装置１０を操作してパワーポイントを立ち上げた後、ステップＳ１０１でテンプレートの読み出しを行う。
テンプレートの読み出しにあたり、広告主が操作部１４を操作することにより、制御部１１がこれを検知して、主記憶部１２の一部領域に格納されたテンプレートを読み出し、描画・表示制御部１３を介して表示部１５に表示する。このとき、制御部１１は、ステップＳ１０２で、テンプレートを使用して作成されるＰＰＴスライド毎に固有のＩＤ（画像管理ＩＤ）を採番し、この画像管理ＩＤを作成されるＰＰＴスライドに関連づけて主記憶部１２の所定の領域に記憶しておく。画像管理ＩＤは後述する画面遷移のハイパーリンク設定に用いる。
【００２９】
表示部１５に表示されるテンプレートの一例が図４（ａ）に示されている。
図４（ａ）によれば、テンプレートは、テキストボックス領域ａと、画像ボックス領域ｂと、ボタンアイコン（操作要素）領域ｃとに領域分割され、割り当てられている。テキストボックス領域ａには、広告主が操作部１４を操作することにより入力されるテキストデータが、画像ボックス領域ｂには、広告主が操作部１４を操作することにより取り込まれる写真等の画像が貼り付けられる。
【００３０】
次に、広告主は、ステップＳ１０３で、表示部１５に表示されるテンプレートを用い、操作部１４を操作することによってＰＰＴスライドの作成を開始する。
又、スライド作成にあたり、広告主は、後述するように領域毎に書式設定を行ない、書式設定後に広告情報を入力する。
【００３１】
テキストボックス領域ａは、サイズ及びレイアウトが固定であり、例えば、図４（ｂ）に示されるように、縦書き／横書きの別、余白等の書式データが設定される。図示省略したが、画像ボックス領域ｂについても同様である。
又、ボタンアイコン領域ｃには、画面内における表示位置、サイズ、「次へ」、「戻り」、「目的地設定」等、貼り付けられるテキストが設定されると共に、クリックされたときの画面遷移先や目的地がハイパーリンクで関連付けられ設定定義される（ステップＳ１０４）。
【００３２】
ここでは画面遷移先として画像管理ＩＤが設定され、目的地として、例えば、図４（ｃ）の楕円枠Ａ内に示されるように、マップコード（登録商標）が設定される。
マップコード（登録商標）とは、全国をメッシュ分割し、各々のメッシュ、及びメッシュ内での相対位置を一律にコード表現したものである。尚、目的地として、マップコード以外に、車載装置２０で目的地設定による経路探索が可能な、住所や、電話番号、緯度・経度等で代替してもよい。
【００３３】
上述したボタンアイコンにハイパーリンクで関連付けられる画面遷移先と目的地が設定された後、広告主が、操作部１４を操作することによってファイル保存指令を発すると、制御部１１は、作成されたＰＰＴスライドの保存形式であるＰＰＴＸファイルを生成した後、ステップＳ１０５で、車載装置２０でそのＰＰＴＸファイルのファイル操作が可能となるようにＡＵＩに準拠したＸＭＬに文書変換を行う。
そして、ステップＳ１０６で、スキン定義後、生成されたスキンファイルを、メモリカード制御部１７を介してＳＤ（登録商標）メモリカード１８に保存する。続いて、ステップＳ１０７で、ＳＤ（登録商標）メモリカード１８による車載装置２０へのインストールが実行される。尚、車載装置２０へのインストールを通信により実行してもよい。この場合のスキンファイルは、後述する主記憶部２１２に記憶される。
【００３４】
尚、上述した文書変換（Ｓ１０５）、スキン定義及びＳＤ（登録商標）保存（Ｓ１０６）、車載装置２０へのインストール（Ｓ１０７）の各操作ステップは、図１で説明した、工程Ｓ１２、Ｓ１３、Ｓ１４のそれぞれの手順と対応するものであるため、詳細な説明を重複回避の意味で省略する。
【００３５】
次に、広告画面情報がインストールされた後の車載装置２０について説明する。
図５に示されるように、車載装置２０は、制御部２１と、地図情報記憶部２２と、表示部２３と、操作部２４と、センサ部２５と、により構成される。これらハードウエアブロック２１〜２５は、アドレス、データ、コントロールのためのラインが複数本で構成される双方向のシステムバス２６に共通接続される。
【００３６】
制御部２１は、ＳＤ（登録商標）メモリカード１８に記録された複数の広告画面情報のうち選択された広告画面情報を読み取って表示部２３に表示する機能を有する。
又、制御部２１は、選択された広告画面情報に含まれる操作要素の操作が検知されると、その操作要素に関連づけられた目的地情報から地図情報記憶部２２に記憶された地図情報に基づく経路探索のための演算を行い、現在地から目的地までの地図情報を生成して表示部２３に表示する機能を合わせ持つ。
【００３７】
このため、制御部２１は、主制御部２１１と、主記憶部２１２と、描画・表示制御部２１３と、メモリカード制御部２１４とを含み構成される。
【００３８】
主制御部２１１は、マイクロプロセッサを含み、ＳＤ（登録商標）メモリカード１８に記録された広告画面情報を使用しながら、主記憶部２１２に格納された経路案内等、ナビゲーション用のアプリケーションソフトウエアを逐次読み出して実行することにより、制御部２１が有する上記の機能を実行する。
即ち、主制御部２１１は、選択された広告画面情報に含まれる操作要素の操作が検知されると、その操作要素に関連づけられた目的地情報から地図情報記憶部２２に記憶された地図情報に基づく経路探索のための演算を行い、現在地から目的地までの地図情報を生成して表示部２３に表示する制御部２１としての機能を実現するために、システムバス２６経由で接続される描画・表示制御部２１３、及びメモリカード制御部２１４のシーケンス制御を行う。
【００３９】
描画・表示制御部２１３は、ＳＤ（登録商標）メモリカード１８から読み出された広告画面情報を主記憶部２１２の一部領域に割り当てられるＶＲＡＭ領域に描画すると共に、描画された広告画面情報を、表示部２３の表示タイミングに同期して読み出し、表示部２３に表示する機能を有する。
メモリカード制御部２１４は、車載装置２０の不図示のカードスロットに実装されるＳＤ（登録商標）メモリカード１８と、システムバス２６とのインタフェースを司る。具体的に、メモリカード制御部２１４は、主制御部２１１からの要求に基づき、接続されるＳＤ（登録商標）メモリカード１８へのデータのリードライトを行う。ここでは、ＳＤ（登録商標）メモリカード１８から、作成装置１０により作成された広告画面情報を取り込む（読み出し）。
【００４０】
地図情報記憶部２２には、地図情報が格納されている。ここに格納される地図情報は、地図の要素であるリンク（例えば、道路）とノード（交差点）からなり、全国の単位正方形に相当するメッシュの単位でファイルとして格納されているものとする。
尚、この地図情報は、大容量のＨＤＤ（Hard Disk Drive）、ＤＶＤ（Digital versatile Disc）に格納されるものとする。
【００４１】
表示部２３は、多数の画素（複数色の発光素子の組み合わせ）を縦横に配置して構成される、例えば、ＬＣＤや有機ＥＬを含む。表示部２３は、描画・表示制御部２１３により制御され、制御部２１により生成される地図情報や経路案内情報の他に、ＳＤ（登録商標）メモリカード１８から読み出された操作要素（ボタンアイコン）を含む広告画面情報を表示する。
操作部２４は、例えば、電源スイッチ、文字キー、数字キー、各種機能が割り当てられたファンクションキー等がマトリクス状に配置されており、これらスイッチやキーがユーザによって操作された場合に、その操作内容に応じた信号を生成し、これをユーザ指示として制御部２１に供給する。
【００４２】
尚、ここでは、表示部２３と、操作部２４とが、それぞれ独立して存在するものとして説明したが、例えば、タッチパネルのように、表示と操作入力機能が一体化された入出力デバイスで代替しても良い。
【００４３】
センサ部２５は、ＧＰＳ（Global Positioning System）センサ、ジャイロ、車速センサ等、車両の各部に実装されるセンサである。
ここで検知され生成される各種センサ信号はＡ／Ｄ（Analog／Digital）変換され、不図示の入出力ポート、システムバス２６経由で、制御部２１（主制御部２１１）に供給される。ここで得られる情報は、主制御部２１１が経路案内するときの車両の現在地判定条件として使用される。
【００４４】
次に、図６に示すフローチャートと、図７に示す画面遷移図を参照して、図５に示す車載装置２０による広告画面情報からの経路案内処理動作について詳細に説明する。
【００４５】
まず、電源が投入されると、制御部２１（主制御部２１１）は、ステップＳ２０１で、描画・表示制御部２１３を介し、表示部２３にナビゲーション用のトップメニュー画面を表示する。このトップメニュー画面には、経路案内、施設案内等、通常のナビゲーション用メニューの他に、「広告閲覧メニュー」が含まれているものとする。
【００４６】
ステップＳ２０２で、ドライバが操作部２４を操作することにより広告閲覧メニューを選択したとする。これを検知した主制御部２１１は、ステップＳ２０３で、メモリカード制御部２１４を駆動してＳＤ（登録商標）メモリカード１８から選択された広告画面情報を読み出す。そして、主記憶部２１２の所定の領域に展開して記憶すると共に、ステップＳ２０４で、描画・表示制御部２１３を駆動して表示部２３に広告に関するトップ画面を表示する。
【００４７】
図７（ａ）に広告のトップメニューの画面構成例が示されている。
図７（ａ）によれば、表示部２３に、景色を背景とした旅行案内画面が表示され、画面下部には、画面遷移を指示するために割り当てられた、ボタンアイコンｄ、ｅ（「観光」、「宿泊」）が表示されている。
【００４８】
ステップＳ２０５で、ドライバが操作部２４を操作することにより、ボタンアイコンｅ（「宿泊」）がクリック操作されたとする。主制御部２１１はこれを検知して、ボタンアイコンｅにハイパーリンク設定されてある画像管理ＩＤに対応して記憶されているスライドを主記憶部２１２から読み出す。そして、ステップＳ２０６で、描画・表示制御部２１３を駆動して表示部２３に次階層画面を表示する。ここに表示される次階層画面は、例えば、図７（ｂ）に示す宿泊場所の案内画面である。
【００４９】
図７（ｂ）に示す案内画面には、画面下部に、画面遷移を指示するボタンアイコンｆ、ｇ（「次へ」、「戻る」）が割り当てられ表示されている。
ここで、ステップＳ２０７で、ドライバが操作部２４を操作することにより、ボタンアイコンｇ（「次へ」）がクリック操作されると、主制御部２１１がこれを検知する。そして、主制御部２１１は、ステップＳ２０８で、主記憶部２１２から、ボタンアイコンｇにハイパーリンク設定された画像管理ＩＤに対応して記憶されているスライドを読み出し、描画・表示制御部２１３を駆動して表示部２３に表示する。ここに表示される画面は、例えば、図７（ｃ）に示すホテル案内画面である。
【００５０】
次に、主制御部２１１は、ステップＳ２０９で、ボタンアイコン（「戻る」）のクリック操作の有無を判定する。
ここで、ボタンアイコンｆ（「戻る」）のクリック操作があった場合には、ステップＳ２０６の先に展開された図７（ｂ）に示す画面表示に戻り、クリック操作が無かった場合は、図７（ｃ）に示すホテル案内画面を表示する。
【００５１】
図７（ｃ）に示すホテル案内画面によれば、テキストと画像によるホテル広告の他に、画面下部に、ボタンアイコンｈ、ｉが割り当てられ表示される。
ボタンアイコンｈは「戻る」、ボタンアイコンｉは「目的地設定」を示し、各ボタンアイコンｈ、ｉには、画面遷移先、目的地であるマップコード、のそれぞれがハイパーリンク設定されている。
【００５２】
ここで、ボタンアイコンｉ（「目的地設定」）がドライバによりクリック操作されると、主制御部２１１は、ステップＳ２１０でこれを検知し、主記憶部２１２の所定の領域に割り当てられ記憶されている「経路案内プログラム」をコールする。
このコールに応答して主記憶部２１２内の「経路案内プログラム」が起動すると、主制御部２１１は、ステップＳ２１１で、ボタンアイコンｉ（「目的地設定」）にハイパーリンク設定されたマップコードを経路探索のための目的地として設定し、ステップＳ２１２で、経路探索処理を実行する。
【００５３】
この経路探索処理を実行するにあたり、主制御部２１１は、センサ部２５から取得されるセンサ信号により車両の現在地の測位演算を行なう。そして、測位演算により得られた現在地を起点とする目的地までの１以上の経路候補を、地図情報記憶部２２に格納された地図情報から探索して経路情報を生成し、ここで生成した１以上の経路情報を候補として、描画・表示制御部２１３に転送する。
【００５４】
これを受けて、描画・表示制御部２１３では、ステップＳ２１３で、主制御部２１１により生成される１以上の経路情報を、主記憶部２１２の一部領域に割り当てられ記憶されるＶＲＡＭ領域に、例えばビットマップ形式で描画する。
続いて、表示部２３の表示タイミングに同期して先に描画した１以上の経路候補情報をＶＲＡＭから読み出し、表示部２３に表示する。そして、ドライバが操作部２４を操作することによる１以上の経路情報の選択操作を経て、選択された経路情報を表示部２３に表示する。又、このとき、表示の他に、音声等によって経路案内が行われ、ドライバを宿泊先である目的地に誘導する。
【００５５】
以上説明のように、本発明の実施例に係る移動体用経路案内表示装置（車載装置２０）によれば、広告画面情報作成装置（作成装置１０）により作成された広告画面情報に含まれる操作要素（ボタンアイコン）に関連付けられた目的地情報に基づき、自身で持つ地図情報から経路探索を行ない、その経路案内を行なう。
従って、サーバが有する地図情報に基づく経路案内と比較して、車両の現在地から自動設定された目的地まで精度の高い経路案内が可能になる。
【００５６】
又、本発明の実施例に係る請求項２に係る移動体用経路案内表示装置（車載装置２０）によれば、ＳＤ（登録商標）メモリカード１８等の記録媒体に記録される広告画面情報は、ハイパーリンク機能を有する広告画面情報作成装置（作成装置１０）により作成される。
このため、ハイパーリンク機能を有する広告画面情報作成装置として、例えば、パワーポイント等、市場に広く流通し標準的に使用されている米国マイクロソフト社提供のＯｆｆｉｃｅ２００７がインストールされた作成装置１０を用いることで、広告画面情報を作成するときに必要であった言語に関する専門知識が不要になり、従って、Ｏｆｆｉｃｅ２００７の使用に馴染んだ誰もが広告画面情報を簡単に作成することができる。
【００５７】
更に、操作要素を含む広告画面情報を作成するにあたり、この広告画面情報のファイル容量が予め規定されたテンプレート等の標準形式に基づき作成することで、ＨＴＭＬタグを使用し、配置やサイズ等、形式にとらわれず自由に作成する場合に比較して、必要なメモリ容量を抑制することができるといった効果も得られる。
【産業上の利用可能性】
【００５８】
本発明の移動体用経路案内表示装置は、ナビゲーション機能を有する車載装置２０に限らず、携帯電話、航空機等、移動体の全てに適用が可能である。但し、地図情報は、サーバから取得することなく、内蔵する地図情報を使用することとする。このため、特に、携帯電話の場合には、ＳＤ（登録商標）メモリカード等、小型で比較的大容量のリムーバブル記録媒体に地図情報を保存しておくことが考えられる。
【符号の説明】
【００５９】
１０…広告画面情報作成装置（作成装置）、１１…制御部、１２…主記憶部、１３…描画・表示制御部、１４…操作部、１５…表示部、１６…ＨＤＤ、１７…メモリカード制御部、１８…ＳＤ（登録商標）メモリカード、１９…システムバス、２０…移動体用経路案内表示装置（車載装置）、２１…制御部、２２…地図情報記憶部、２３…表示部、２４…操作部、２５…センサ部、２６…システムバス、２１１…主制御部、２１２…主記憶部、２１３…描画・表示制御部。
【図１】
2011232078.tif 000003
【図２】
2011232078.tif 000004
【図３】
2011232078.tif 000005
【図４】
2011232078.tif 000006
【図５】
2011232078.tif 000007
【図６】
2011232078.tif 000008
【図７】
2011232078.tif 000009